(57)【要約】【課題】利用者によるイヤホンの設定を可能とする。【解決手段】イヤホンシステムは、イヤホンと操作部を有する充電器とから構成される。イヤホン（補聴器）が充電器から外される（ステップＳ１０２→Ｙ）と、充電器はイヤホンとの間の通信接続を確立する（ステップＳ１０３）。さらに、充電器は、操作部に対する操作を検知する（ステップＳ１０６→Ｆまたは＋／−）と、操作に対応した信号（連携モードに係る信号）をイヤホンに送信（ステップＳ１０９，Ｓ１１０）する。イヤホンは、充電器から外されると、充電器との間の通信接続を確立し、信号を受信しなかった場合には、無線通信を切断し、信号を受信した場合には、無線通信を継続する。【選択図】図５
2019220882.tif 000002
【特許請求の範囲】
【請求項１】
スピーカを備え耳に装着可能なイヤホンと、操作部を備え前記イヤホンに充電する充電器とから構成されるイヤホンシステムであって、
前記イヤホンと前記充電器との間で通信を行いながら前記充電器の操作部の操作に応じて前記イヤホンを制御する連携モードと、前記イヤホンが単独で動作する通常モードとを備え、
前記充電器は、
前記イヤホンが前記充電器から外された場合、前記イヤホンとの間の通信接続を確立し、決められた条件を満たすまでの間に前記操作部に対する操作を検知した場合には、前記連携モードに係る信号を前記イヤホンに送信し、前記イヤホンとの間の通信接続を継続させる充電器制御部を備え、
前記イヤホンは、
前記イヤホンが前記充電器から外された場合、前記充電器との間の通信接続を確立し、決められた条件を満たすまでの間に前記連携モードに係る信号を受信しなかった場合には、前記充電器との間の通信接続を切断し、決められた条件を満たすまでの間に前記連携モードに係る信号を受信した場合には、前記充電器との間の通信接続を継続させるイヤホン制御部を備える
ことを特徴とするイヤホンシステム。
【請求項２】
前記充電器制御部は、
前記イヤホンが前記充電器から外された場合、前記イヤホンとの間の通信接続を確立し、所定の時間内に前記操作部に対する操作を検知しなかった場合には、前記イヤホンとの間の通信接続を切断するとともに前記通常モードに移行し、前記所定の時間内に前記操作部に対する操作を検知した場合には、前記連携モードに係る信号を前記イヤホンに送信し、前記イヤホンとの間の通信接続を継続させるとともに前記連携モードに移行し、
前記イヤホン制御部は、
前記イヤホンが前記充電器から外された場合、前記充電器との間の通信接続を確立し、前記所定の時間内に前記連携モードに係る信号を受信しなかった場合には、前記充電器との間の通信接続を切断するとともに前記通常モードに移行し、前記所定の時間内に前記連携モードに係る信号を受信した場合には、前記充電器との間の通信接続を継続させるとともに前記連携モードに移行する
ことを特徴とする請求項１に記載のイヤホンシステム。
【請求項３】
前記充電器制御部は、前記操作が前記スピーカの出力音に対する音響処理のフィッティング処理を指示するフィッティングボタンの操作である場合、前記連携モードに移行して、前記フィッティング処理を実行する
ことを特徴とする請求項２に記載のイヤホンシステム。
【請求項４】
前記充電器制御部は、前記イヤホンの初回使用時、または、前回のフィッティング処理から所定の日時が経過した状態にあって、前記イヤホンが前記充電器から外された場合、前記連携モードに係る信号を前記イヤホンに送信し、前記イヤホンとの間の通信接続を継続するとともに前記連携モードに移行して、前記フィッティング処理を実行する
ことを特徴とする請求項３に記載のイヤホンシステム。
【請求項５】
前記充電器制御部は、前記連携モードにおいて前記イヤホンが前記充電器から外された場合、前記イヤホンとの間の通信接続を継続させるとともに、前記フィッティング処理を実行し、
前記イヤホン制御部は、前記連携モードにおいて前記イヤホンが前記充電器から外された場合、前記充電器との間の通信接続を継続させる
ことを特徴とする請求項３または４に記載のイヤホンシステム。
【請求項６】
前記充電器制御部は、前記フィッティング処理が終了したときには、前記通常モードに移行するとともに前記イヤホンに前記通常モードに係る信号を送信して、前記イヤホンとの間の通信接続を切断し、
前記イヤホン制御部は、前記通常モードに係る信号を受信したときには、前記通常モードに移行するとともに、前記充電器との間の通信接続を切断する
ことを特徴とする請求項３〜５のいずれか１項に記載のイヤホンシステム。
【請求項７】
前記操作部は、左右選択スイッチをさらに備え、
前記イヤホンは、左側イヤホンと右側イヤホンとから構成され、
前記左側イヤホンおよび前記右側イヤホンは、それぞれ前記イヤホン制御部を備え、
前記充電器制御部は、前記左右選択スイッチの選択状態に応じて、前記左側イヤホンまたは前記右側イヤホンに対する前記フィッティング処理を実行する
ことを特徴とする請求項３〜６のいずれか１項に記載のイヤホンシステム。
【請求項８】
前記左側イヤホンおよび前記右側イヤホンは、それぞれマイクをさらに備え、
前記充電器制御部は、前記左右選択スイッチで選択されていない前記左側イヤホンまたは前記右側イヤホンにノイズキャンセル開始信号を送信し、
前記左側イヤホンおよび前記右側イヤホンのぞれぞれのイヤホン制御部は、前記ノイズキャンセル開始信号を受信すると、前記マイクで集音した音と逆位相の音を前記スピーカから出力するノイズキャンセル処理を実行する
ことを特徴とする請求項７に記載のイヤホンシステム。
【請求項９】
前記イヤホンは、マイクをさらに備え、
前記イヤホン制御部は、前記充電器からの周辺音量の問合せがあると、前記マイクで集音した音の音量を通知し、
前記充電器制御部は、前記イヤホンに前記周辺音量を問合せ、前記周辺音量が所定の閾値を超える場合には、前記フィッティング処理を中止する
ことを特徴とする請求項３〜８のいずれか１項に記載のイヤホンシステム。
【請求項１０】
前記充電器制御部は、前記操作が前記スピーカの出力音に対する音響処理のフィッティング処理を指示するフィッティングボタンの操作である場合、前記連携モードに移行し、
前記イヤホン制御部は、前記連携モードに係る信号を受信した場合、前記連携モードに移行して、前記フィッティング処理を実行する
ことを特徴とする請求項２に記載のイヤホンシステム。
【請求項１１】
スピーカを備え耳に装着可能なイヤホンであって、
前記イヤホンを充電する充電器との間で通信を行いながら前記充電器の操作部の操作に応じて前記イヤホンを制御する連携モードと、前記イヤホンが単独で動作する通常モードとを備え、
前記イヤホンが前記充電器から外された場合、前記充電器との間の通信接続を確立し、決められた条件を満たすまでの間に前記連携モードに係る信号を受信しなかった場合には、前記充電器との間の通信接続を切断し、決められた条件を満たすまでの間に前記連携モードに係る信号を受信した場合には、前記充電器との間の通信接続を継続させる
ことを特徴とするイヤホン。
【請求項１２】
前記イヤホンは、充電残量が所定の閾値より低い場合には、前記スピーカから前記充電残量の低下を告知する
ことを特徴とする請求項１１に記載のイヤホン。
【請求項１３】
スピーカを備え耳に装着可能なイヤホンを充電する充電器であって、
操作部を備え、
前記イヤホンとの間で通信を行いながら前記充電器の操作部の操作に応じて前記イヤホンを制御する連携モードと、前記イヤホンを単独で動作させる通常モードとを備え、
前記イヤホンが前記充電器から外された場合、前記イヤホンとの間の通信接続を確立し、決められた条件を満たすまでの間に前記操作部に対する操作を検知した場合には、前記連携モードに係る信号を前記イヤホンに送信し、前記イヤホンとの間の通信接続を継続させる
ことを特徴とする充電器。
【請求項１４】
前記イヤホンの充電残量が表示可能な表示部を備え、
前記表示部に前記充電残量を表示する
ことを特徴とする請求項１３に記載の充電器。
【発明の詳細な説明】
【技術分野】
【０００１】
本発明は、利用者によるイヤホンの設定を可能とするイヤホンシステム、イヤホンおよび充電器に関する。
【背景技術】
【０００２】
補聴器（イヤホン）は、利用者ごと、左右の耳ごとに音の増幅度合いを調整している。詳しくは、補聴器は、周波数ごとに、どれだけ音を増幅するか設定されている。さらに同じ周波数の音でも均一に増幅するのではなく、音の大きさ（マイクで集音した音量）に応じて増幅度を設定する。このようにすることで、小さな音は、大きく増幅して聴こえやすくし、大きな音は、増幅しすぎて耳に負担をかけることがないようにしている（出力する音の最大値（出力最大値）を設定している）。
【０００３】
また、補聴器の電源としては、利便性の観点から、交換が必要な一次電池よりも二次電池が望ましい。
充電機能を備えた、利用者の聴覚を補完する補聴器の技術として、特許文献１に記載の技術がある。
【先行技術文献】
【非特許文献】
【０００４】
【特許文献１】特開２０１５−１３９０８３号公報
【発明の概要】
【発明が解決しようとする課題】
【０００５】
特許文献１に記載の技術では、「音声に対応する周波数帯に増幅を行って出力音データを生成」している（明細書段落００３９）。しかしながら、利用者に応じた、増幅する周波数や増幅度の設定（フィッティング、フィッティング処理）については、記載がない。
【０００６】
このようなフィッティング（設定）は、補聴器を販売した店舗で行われている。しかしながら、聞こえの具合は、経年変化したり、季節や体調によっても変化したりすることが考えられ、設定の変更が必要となる。また、使用場面や環境によって設定を切り替えることが望ましい。このため、利用者が望むときに利用者自身により設定が可能であり、さらに、複数の設定が可能であって、設定が選択できることが望ましい。
また、補聴器のフィッティング以外に、音楽鑑賞用のイヤホンなどにおいても、各種の設定を行う場合があり、このような設定を利用者が容易に行えることが望ましい。
【０００７】
このような背景を鑑みて本発明がなされたのであり、本発明は、利用者によるイヤホンの設定を可能とするイヤホンシステム、イヤホンおよび充電器を提供することを課題とする。
【課題を解決するための手段】
【０００８】
前記した課題を解決するため、請求項１に記載の発明は、スピーカを備え耳に装着可能なイヤホンと、操作部を備え前記イヤホンに充電する充電器とから構成されるイヤホンシステムであって、前記イヤホンと前記充電器との間で通信を行いながら前記充電器の操作部の操作に応じて前記イヤホンを制御する連携モードと、前記イヤホンが単独で動作する通常モードとを備え、前記充電器は、前記イヤホンが前記充電器から外された場合、前記イヤホンとの間の通信接続を確立し、決められた条件を満たすまでの間に前記操作部に対する操作を検知した場合には、前記連携モードに係る信号を前記イヤホンに送信し、前記イヤホンとの間の通信接続を継続させる充電器制御部を備え、前記イヤホンは、前記イヤホンが前記充電器から外された場合、前記充電器との間の通信接続を確立し、決められた条件を満たすまでの間に前記連携モードに係る信号を受信しなかった場合には、前記充電器との間の通信接続を切断し、決められた条件を満たすまでの間に前記連携モードに係る信号を受信した場合には、前記充電器との間の通信接続を継続させるイヤホン制御部を備えることを特徴とするイヤホンシステムとした。
【発明の効果】
【０００９】
本発明によれば、利用者によるイヤホンの設定を可能とするイヤホンシステム、イヤホンおよび充電器を提供することができる。
【図面の簡単な説明】
【００１０】
【図１】本実施形態に係る補聴器の内部構成を示すブロック図である。
【図２】本実施形態に係る補聴器の外観図である。
【図３】本実施形態に係る充電器の内部構成を示すブロック図である。
【図４】本実施形態に係る充電器の外観図である。
【図５】本実施形態に係る充電器における処理全体のフローチャートである。
【図６】本実施形態に係る補聴器における処理全体のフローチャートである。
【図７】本実施形態に係る充電器におけるカーブ選択処理のフローチャートである。
【図８】本実施形態に係る補聴器におけるカーブ選択処理のフローチャートである。
【図９】本実施形態に係る充電器におけるフィッティング処理全体のフローチャートである。
【図１０】本実施形態に係る充電器での左右片側のフィッティング処理のフローチャート（１）である。
【図１１】本実施形態に係る充電器での左右片側のフィッティング処理のフローチャート（２）である。
【図１２】本実施形態に係る補聴器におけるフィッティング処理全体のフローチャートである。
【発明を実施するための形態】
【００１１】
≪イヤホンシステムの全体構成≫
以下に、本発明を実施するための形態（実施形態）におけるイヤホンシステムについて説明する。イヤホンシステムは、補聴器（イヤホン）１００（後記する図１と図２参照）と充電器２００（後記する図３と図４参照）とから構成される。補聴器１００と充電器２００とは、Bluetooth（登録商標）などの近距離無線通信で通信可能である。利用者は、充電器２００のボタンやスイッチを操作しながら、補聴器１００のフィッティング（設定）が可能である。
補聴器１００と充電器２００との間で目的の信号（情報）を通信する（送受信する）ためには、通信に先立って補聴器１００と充電器２００との間での通信接続を確立しておかなければならない。この通信接続を確立した状態では、信号の通信が行われていない状態であっても、確立した通信接続を維持するために所定の電力を消費する。
そのため、フィッティングを行うとき以外の、イヤホンが単独で動作するときには、通信接続を切断しておく（通信接続が確立されていない状態にしておく）ことが望ましい。
【００１２】
≪補聴器の構成≫
図１は、本実施形態に係る補聴器（イヤホン）の内部構成を示すブロック図である。補聴器１００は、右耳用の補聴器１００Ｒと左耳用の補聴器１００Ｌとがあり（後記する図４参照）、補聴器１００Ｒ，１００Ｌを区別しないときには、補聴器１００と記す。補聴器１００は、制御部１１０、記憶部１２０、通信部１３０、操作部１４０、マイク１５１、スピーカ１５２、ＡＤ変換器１６１、ＤＡ変換器１６２、充電器センサ１７０および電源１８０を含んで構成される。
【００１３】
制御部１１０は、ＣＰＵ（Central Processing Unit）またはＤＳＰ（Digital Signal Processor）から構成され、記憶部１２０に記憶されるプログラム（不図示）を実行することで、マイク１５１で集音した音に補正処理（増幅処理または音響処理とも記す）を行い、スピーカ１５２から出力することで補聴器１００を機能させる。補正処理は、後記するフィッティングカーブ１２３に従って、実行される。また、制御部１１０は、充電器２００と連携して、フィッティング処理（後記する図１２参照）やカーブ選択処理（後記する図８参照）を行う。
【００１４】
記憶部１２０は、ＲＡＭ（Random Access Memory）やフラッシュメモリから構成され、モード１２１や音源１２２、フィッティングカーブ１２３、補聴器１００のプログラム（不図示）を記憶する。
モード１２１は、補聴器１００が、通常モードであるかフィッティングモード（Ｆモード、設定モード、連携モードとも記す）であるかを示す。通常モードとは、補聴器１００が単独で動作する本来の動作モード（動作状態）であって、後記するマイク１５１で集音した音に補正処理を行い、後記するスピーカ１５２から出力している状態である。設定モードは、利用者が充電器２００を操作しながら補聴器１００を設定（制御）するフィッティング（設定）処理状態であることを示す。
【００１５】
音源１２２は、スピーカ１５２から報知される音声の音源データである。フィッティングカーブ１２３は、フィッティング処理の結果であり、周波数ごとの元の音量（入力音量）に対する増幅度（ゲイン）や出力最大値（出力制限値）を示す。制御部１１０は、フィッティングカーブ１２３で示される周波数ごとの増幅度や出力最大値に従って、入力音（後記するＡＤ変換器１６１からの入力）を増幅して出力（後記するＤＡ変換器１６２への出力）する。
【００１６】
通信部１３０は、後記する充電器２００と、例えば、Bluetoothで無線通信を行う。
操作部１４０は、後記するスピーカ１５２からの出力音量を調整するボリューム１４１と、電源ボタン１４２とを備える。
【００１７】
マイク１５１は、補聴器１００を装着した利用者の周辺の音を集音して、アナログ信号として出力する。ＡＤ変換器１６１は、マイク１５１が出力したアナログ信号をデジタル信号に変換して、制御部１１０に出力する。
ＤＡ変換器１６２は、制御部１１０が出力した補正処理済みのデジタル信号をアナログ信号に変換して、スピーカ１５２に出力する。スピーカ１５２は、ＤＡ変換器１６２が出力したアナログ信号を、音として利用者の耳に出力する。
【００１８】
充電器センサ１７０は、補聴器１００が後記する充電器２００に装着されているか否かを検出して、検出結果を制御部１１０に出力する。充電器センサ１７０は、補聴器１００に備わる物理センサ（不図示）を用いて、補聴器１００が充電器２００に装着されたことを検出してもよい。または、充電器センサ１７０は、後記する電源１８０が充電中であるか否かを検出して、充電器２００に装着されているか否かを検出してもよい。
【００１９】
電源１８０は、補聴器１００に電力を供給する電源である。また、電源１８０は、受電側充電モジュールを含んでおり、無線充電（電磁誘導式）により充電される。なお、電源１８０は、無線充電に限らず、充電器２００と接点を通じて有線接続され、充電されてもよい。
【００２０】
図２は、本実施形態に係る補聴器１００の外観図である。補聴器１００を耳に装着するときには、図２の右側の平面部１５８が、外耳道の外に面して、左側の細い部分（シェル、耳栓）１５９が外耳道に挿入される。このように耳に装着されることで、マイク１５１で集音された音が、制御部１１０で補正処理されてスピーカ１５２から出力され、利用者が聞くことができる。
【００２１】
≪充電器の構成≫
図３は、本実施形態に係る充電器の内部構成を示すブロック図である。充電器２００は、制御部２１０、記憶部２２０、通信部２３０、操作部２４０、補聴器センサ２５０および電源２６０を含んで構成される。
制御部２１０は、ＣＰＵまたはＤＳＰから構成され、記憶部２２０に記憶されるプログラム（不図示）を実行することで、フィッティング処理（後記する図９〜図１１参照）やカーブ選択処理（後記する図７参照）を実行する。
【００２２】
記憶部２２０は、ＲＡＭやフラッシュメモリから構成され、モード２２１と音源２２２とフィッティングカーブ２２３と前回設定日時２２４と充電器２００のプログラム（不図示）とを記憶する。モード２２１は、補聴器１００のモード１２１と同様であって、充電器２００が、通常モードであるか設定モードであるかを示す。音源２２２は、フィッティング処理やカーブ選択処理の間に出力される音声の音源データである。フィッティングカーブ２２３は、フィッティング処理の結果である周波数ごとの元の音量（入力音量）に対する増幅度や出力最大値を示し、フィッティング処理後に補聴器１００に送信される。前回設定日時２２４は、前回フィッティング処理を実行した日時を示す。
【００２３】
通信部２３０は、補聴器１００と無線通信を行う。
操作部２４０は、後記する図４で説明するボタンやスイッチを備える。
補聴器センサ２５０は、補聴器１００が充電器２００に装着されているか否かを検出して、検出結果を制御部２１０に出力する。補聴器センサ２５０は、充電器２００に備わる物理センサ（不図示）を用いて、補聴器１００が充電器２００に装着されたことを検出してもよい。または、補聴器センサ２５０は、後記する電源２６０が充電中であるか否かを検出して、補聴器１００が装着されているか否かを検出してもよい。
【００２４】
電源２６０は、充電器２００に電力を供給する電源である。また、電源２６０は、送電側充電モジュールを含んでおり、無線充電（電磁誘導式）により補聴器１００を充電する。なお、電源２６０は、接点を通じて補聴器１００と有線接続して充電してもよい。
【００２５】
図４は、本実施形態に係る充電器２００の外観図である。充電器２００は、補聴器１００Ｌ，１００Ｒを格納する補聴器ケースの形態をしており、充電器本体２０１と蓋２０２とから構成される。補聴器１００Ｌ，１００Ｒが格納（装着、搭載とも記す）されている間に、電源２６０に含まれる送電側充電モジュールにより、補聴器１００Ｌ，１００Ｒは充電される。
充電量メータ２０３Ｌは、左耳用の補聴器１００Ｌの充電残量を示す表示器である。充電量メータ２０３Ｒは、右耳用の補聴器１００Ｒの充電残量を示す表示器である。
【００２６】
≪充電器の操作≫
フィッティングボタン２４１は、操作部２４０の一部であり、図４に示されるように「Ｆ」のラベルが付与されている。利用者は、補聴器１００を充電器２００から取り外して、所定の時間内にフィッティングボタン２４１を押下することで、フィッティング処理の開始を指示する。
【００２７】
左右選択スイッチ（左右切替スイッチ）２４２は、操作部２４０の一部である。利用者が、左（図４に示されるように「Ｌ」のラベルが付与されている）を選択すると、左耳用の補聴器１００Ｌのフィッティング処理が実行される。また、利用者が、右（図４に示されるように「Ｒ」のラベルが付与されている）を選択すると、右耳用の補聴器１００Ｒのフィッティング処理が実行される。
【００２８】
ＯＫボタン２４３は、操作部２４０の一部であり、図４に示されるように「ＯＫ」のラベルが付与されている。フィッティング処理において、音量が変化しながら音の聞こえを測定する際に、音が聞こえる音量に達したときやうるさい音量に達したときに、利用者はＯＫボタン２４３を押下して、充電器２００に当該音量であることを通知する。
【００２９】
ＩＮＣボタン２４４は、操作部２４０の一部であり、図４に示されるように「＋」のラベルが付与されている。ＤＥＣボタン２４５は、操作部２４０の一部であり、図４に示されるように「−」のラベルが付与されている。ＩＮＣボタン２４４やＤＥＣボタン２４５を押下することで、利用者は、フィッティング処理において、測定対象である周波数を上げたり下げたりすることができる。また、ＩＮＣボタン２４４およびＤＥＣボタン２４５は、通常モード（通常動作）における補正処理のパラメータであるフィッティングカーブを選択するときにも押下される。
なお、上記したフィッティング処理やフィッティングカーブの選択については、後記する図５〜図１２を参照して説明する。
【００３０】
≪充電器の処理≫
図５は、本実施形態に係る充電器２００における処理全体のフローチャートである。図５を参照しながら、充電器２００から補聴器１００が外された後の充電器２００におけるフィッティング処理やフィッティングカーブの選択処理を説明する。フローチャートの開始時には、補聴器１００は充電器２００に搭載されている。
【００３１】
ステップＳ１０１において、電源２６０は、補聴器１００を充電する。制御部２１０は、送電するときの電流と電圧を観測しており、電流と電圧の時間的変化量から補聴器１００の充電量（充電残量）を推計して、充電量メータ２０３Ｌ，２０３Ｒに表示する。
ステップＳ１０２において、制御部２１０は、補聴器センサ２５０からの出力を検出して、補聴器１００が充電器２００から外されたならば（ステップＳ１０２→Ｙ）ステップＳ１０３に進み、外されていないならば（ステップＳ１０２→Ｎ）ステップＳ１０１に戻る。
【００３２】
ステップＳ１０３において、制御部２１０は、補聴器１００との無線通信を開始する。
ステップＳ１０４において、制御部２１０は、モード２２１がフィッティングモードならば（ステップＳ１０４→Ｙ）ステップＳ１１２に進み、フィッティングモードでないならば（ステップＳ１０４→Ｎ）ステップＳ１０５に進む。
ステップＳ１０５において、制御部２１０は、前回設定日時２２４から所定時間が経過しているならば（ステップＳ１０５→Ｙ）ステップＳ１１０に進み、経過していないならば（ステップＳ１０５→Ｎ）ステップＳ１０６に進む。なお、前回設定日時２２４が、例えば「０」のように、フィッティング処理が未実行を示す場合には、制御部２１０は、所定時間が経過しているとして、ステップＳ１１０に進む。これは、補聴器１００の初回使用時に相当する。
【００３３】
ステップＳ１０６において、制御部２１０は、所定の時間内にフィッティングボタン２４１か、ＩＮＣボタン２４４か、ＤＥＣボタン２４５かが押下されたか否かを判断する。フィッティングボタン２４１が押下された場合は（ステップＳ１０６→Ｆ）ステップＳ１１０に進み、ＩＮＣボタン２４４またはＤＥＣボタン２４５が押下された場合は（ステップＳ１０６→＋／−）ステップＳ１０９に進み、その他の場合は（ステップＳ１０６→Ｎ）ステップＳ１０７に進む。
【００３４】
ステップＳ１０７において、制御部２１０は、補聴器１００との無線通信を終了する。
ステップＳ１０８において、制御部２１０は、補聴器センサ２５０からの出力を検出して、補聴器１００が充電器２００に搭載されているならば（ステップＳ１０８→Ｙ）ステップＳ１０１に戻り、搭載されていないならば（ステップＳ１０８→Ｎ）ステップＳ１０８に戻る。
【００３５】
ステップＳ１０９において、制御部２１０は、後記する図７で説明する充電器カーブ選択処理を実行する。
ステップＳ１１０において、制御部２１０は、フィッティング開始信号（連携モードに係る信号）を補聴器１００に送信して、フィッティングモードへの移行を通知する。
ステップＳ１１１において、制御部２１０は、モード２２１をフィッティングモードに更新して、フィッティングモードに移行する。
【００３６】
ステップＳ１１２において、制御部２１０は、後記する図９で説明する充電器フィッティング処理を実行する。なお、図９と図１２のフローチャートに示す処理は、充電器２００と補聴器１００との間で連携して実行されるフィッティング処理である。図９のフローチャートは、繰り返し実行される図５のステップＳ１１２の充電器フィッティング処理の全体を示したものである。また、図１２のフローチャートは、繰り返し実行される図６のステップＳ２１３の補聴器フィッティング処理の全体を示したものである。実際には、ステップＳ１１２やステップＳ２１３が実行されるごとに、図９や図１２のフィッティング処理の一部が時分割で少しずつ先に進めながら実行されていく。
【００３７】
ステップＳ１１３において、制御部２１０は、ステップＳ１１２における充電器フィッティング処理が完了したならば（ステップＳ１１３→Ｙ）ステップＳ１１４に進み、完了していないならば（ステップＳ１１３→Ｎ）ステップＳ１１５に進む。充電器フィッティング処理が完了したか否かは、モード２２１が通常モードか、フィッティングモードかで判断できる。上記したように、ステップＳ１１２が実行されるごとに、図９に示される処理の一部が少しずつ実行され、最後に通常モードに移行する（図９のステップＳ４２６参照）。
【００３８】
ステップＳ１１４において、制御部２１０は、前回設定日時２２４を現在日時で更新する。
ステップＳ１１５において、制御部２１０は、補聴器センサ２５０からの出力を検出して、補聴器１００が充電器２００に搭載されているならば（ステップＳ１１５→Ｙ）ステップＳ１１６に進み、搭載されていないならば（ステップＳ１１５→Ｎ）ステップＳ１１２に戻る。上記したように、再びステップＳ１１２が実行されると、図９に示される処理の一部が実行される。
ステップＳ１１６において、制御部２１０は、補聴器１００との無線通信を終了する。
【００３９】
≪補聴器の処理≫
図６は、本実施形態に係る補聴器１００における処理全体のフローチャートである。図６を参照しながら、充電器２００から補聴器１００が外された後の補聴器１００におけるフィッティング処理やフィッティングカーブの選択処理を説明する。フローチャートの開始時には、補聴器１００は充電器２００に搭載されている。
【００４０】
ステップＳ２０１において、電源１８０は、充電器２００より充電される。
ステップＳ２０２において、制御部１１０は、充電器センサ１７０からの出力を検出して、補聴器１００が充電器２００から外されたならば（ステップＳ２０２→Ｙ）ステップＳ２０３に進み、外されていないならば（ステップＳ２０２→Ｎ）ステップＳ２０１に戻る。
【００４１】
ステップＳ２０３において、制御部１１０は、電源１８０の充電残量が所定の残量より少ない場合には、残量が少ない旨をスピーカ１５２から警告する。残量から補聴器１００の使用可能時間を推定して、その時間をスピーカ１５２から報知してもよい。なお、警告または報知される音声のデータは、音源１２２である。
ステップＳ２０４において、制御部１１０は、充電器２００との無線通信を開始する。
【００４２】
ステップＳ２０５において、制御部１１０は、モード１２１がフィッティングモードならば（ステップＳ２０５→Ｙ）ステップＳ２１３に進み、フィッティングモードでないならば（ステップＳ２０５→Ｎ）ステップＳ２０６に進む。
ステップＳ２０６において、制御部１１０は、所定の時間内に信号を受信した場合は（ステップＳ２０６→Ｙ）ステップＳ２１０に進み、受信しなかった場合は（ステップＳ２０６→Ｎ）ステップＳ２０７に進む。
【００４３】
ステップＳ２０７において、制御部１１０は、充電器２００との無線通信を終了する。
ステップＳ２０８において、制御部１１０は、通常動作を行う。すなわち、制御部１１０は、マイク１５１で集音した音に対して、選択済みのフィッティングカーブ（図８のステップＳ３１２参照）に従った補正処理（増幅処理）を行い、スピーカ１５２から出力する。
【００４４】
ステップＳ２０９において、制御部１１０は、充電器センサ１７０からの出力を検出して、補聴器１００が充電器２００に搭載されているならば（ステップＳ２０９→Ｙ）ステップＳ２０１に戻り、搭載されていないならば（ステップＳ２０９→Ｎ）ステップＳ２０８に戻る。
【００４５】
ステップＳ２１０において、制御部１１０は、ステップＳ２０６で受信した信号がフィッティング開始信号であるならば（ステップＳ２１０→Ｙ）ステップＳ２１２に進み、フィッティング開始信号でなかった場合は（ステップＳ２１０→Ｎ）ステップＳ２１１に進む。
【００４６】
ステップＳ２１１において、制御部１１０は、後記する図８で説明する補聴器カーブ選択処理を実行する。
ステップＳ２１２において、制御部１１０は、モード１２１をフィッティングモードに更新して、フィッティングモードに移行する。
ステップＳ２１３において、制御部１１０は、後記する図１２で説明する補聴器フィッティング処理を実行する。
【００４７】
ステップＳ２１４において、制御部１１０は、ステップＳ２１３における補聴器フィッティング処理が完了したならば（ステップＳ２１４→Ｙ）ステップＳ２０７に進み、完了していないならば（ステップＳ２１４→Ｎ）ステップＳ２１５に進む。補聴器フィッティング処理が完了したか否かは、モード１２１が通常モードか、フィッティングモードかで判断できる。ステップＳ１１２（図５参照）で説明したように、ステップＳ２１３が実行されるごとに、図１２に示される処理の一部が少しずつ実行され、最後に通常モードに移行する（図１２のステップＳ５０７参照）。
【００４８】
ステップＳ２１５において、制御部１１０は、充電器センサ１７０からの出力を検出して、補聴器１００が充電器２００に搭載されているならば（ステップＳ２１５→Ｙ）ステップＳ２１６に進み、搭載されていないならば（ステップＳ２１５→Ｎ）ステップＳ２１３に戻る。上記したように、再びステップＳ２１３が実行されると、図１２に示される処理の一部が実行される。
ステップＳ２１６において、制御部１１０は、充電器２００との無線通信を終了する。
【００４９】
≪充電器カーブ選択処理≫
図７は、本実施形態に係る充電器におけるカーブ選択処理のフローチャートである。図７を参照しながら、充電器２００の制御部２１０が実行する充電器カーブ選択処理（図５のステップＳ１０９参照）の詳細を説明する。
ステップＳ３０１において、制御部２１０は、ＩＮＣボタン２４４またはＤＥＣボタン２４５が押下された回数をカウントする。
【００５０】
ステップＳ３０２において、制御部２１０は、ステップＳ３０１においてカウントされた回数からカーブ番号を算出して、補聴器１００に送信する。例えば、ＩＮＣボタン２４４が３回押された場合には、制御部２１０は、カーブ番号３を送信する。
ステップＳ３０３において、制御部２１０は、ステップＳ３０２において送信したカーブ番号の音声信号を補聴器１００に送信する。例えば、カーブ番号３が送信されたならば、音源２２２にある「３番のカーブを選択しました。」という音声データを送信する。
【００５１】
≪補聴器カーブ選択処理≫
図８は、本実施形態に係る補聴器におけるカーブ選択処理のフローチャートである。図８を参照しながら、補聴器１００の制御部１１０が実行する補聴器カーブ選択処理（図６のステップＳ２１１参照）の詳細を説明する。
ステップＳ３１１において、制御部１１０は、図７のステップＳ３０２において充電器２００が送信し、図６のステップＳ２０６にて受信されたカーブ番号を取得する。
【００５２】
ステップＳ３１２において、制御部１１０は、ステップＳ３１１において取得したカーブ番号を選択済みのフィッティングカーブとして、記憶部１２０に記憶する。
ステップＳ３１３において、制御部１１０は、図７のステップＳ３０３において送信されたカーブ番号の音声信号を受信して、スピーカ１５２から出力する。
【００５３】
≪充電器フィッティング処理≫
図９は、本実施形態に係る充電器におけるフィッティング処理全体のフローチャートである。図９を参照しながら、充電器２００の制御部２１０が実行する充電器フィッティング処理（図５のステップＳ１１２参照）の詳細を説明する。なお、フィッティング処理は、割り込みが発生した場合には、処理途中で中断される。再び、制御部２１０がフィッティング処理を開始すると、中断されたところから再開される。割り込みの例としては、補聴器１００が充電器２００に搭載される、補聴器１００の電源１８０または充電器２００の電源２６０の残量が所定の値以下になるなどがある。
【００５４】
ステップＳ４０１において、制御部２１０は、補聴器１００に周辺音量を問い合わせて取得する。
ステップＳ４０２において、制御部２１０は、ステップＳ４０１にて取得した周辺音量が所定の閾値より大ならば（ステップＳ４０２→Ｙ）ステップＳ４２５に進み、小または等しいならば（ステップＳ４０２→Ｎ）ステップＳ４０３に進む。
【００５５】
ステップＳ４０３において、制御部２１０は、フィッティング処理結果のカーブ番号を選択する。カーブ番号は、現在記憶しているフィッティングカーブ２２３の最大の番号の次の番号でもよいし、記憶部２２０の容量がなければ、最初の番号（例えば、１）としてもよい。
【００５６】
ステップＳ４０４において、制御部２１０は、左右選択スイッチ２４２が左ならば（ステップＳ４０４→Ｌ）ステップＳ４０５に進み、右ならば（ステップＳ４０４→Ｒ）ステップＳ４１４に進む。
ステップＳ４０５において、制御部２１０は、左耳用の補聴器１００Ｌのフィッティング処理を開始する旨の音声信号を補聴器１００に送信する。例えば、音源２２２にある「左のフィッティング処理を開始します。」という音声データを送信する。
【００５７】
ステップＳ４０６において、制御部２１０は、右耳用の補聴器１００Ｒにノイズキャンセル開始信号を送信する。
ステップＳ４０７において、制御部２１０は、左耳用の補聴器１００Ｌに対してフィッティング処理（後記する図１０と図１１参照）を実行する。
【００５８】
ステップＳ４０８において、制御部２１０は、右耳用の補聴器１００Ｒにノイズキャンセル終了信号を送信する。
ステップＳ４０９において、制御部２１０は、右耳用の補聴器１００Ｒに対するフィッティング処理の開始を確認する旨の音声信号を補聴器１００に送信する。例えば、音源２２２にある「右のフィッティング処理を開始するなら、ＯＫボタンを押してください。」という音声データを送信する。
【００５９】
ステップＳ４１０において、制御部２１０は、所定の時間内にＯＫボタン２４３が押下された場合は（ステップＳ４１０→Ｙ）ステップＳ４１１に進み、押下されなかった場合は（ステップＳ４１０→Ｎ）ステップＳ４２３に進む。
【００６０】
ステップＳ４１１〜Ｓ４１３は、左右が入れ替わったことを除いてステップＳ４０６〜Ｓ４０８と同様の処理である。
ステップＳ４１４〜Ｓ４２２は、左右が入れ替わったことを除いてステップＳ４０５〜Ｓ４１３と同様の処理である。
【００６１】
ステップＳ４２３において、制御部２１０は、フィッティング処理において格納されたフィッティングカーブ２２３（後記する図１１のステップＳ４５６参照）の番号の音声信号を補聴器１００に送信する。なお、この番号は、ステップＳ４０３において選択されたカーブ番号である。
ステップＳ４２４において、制御部２１０は、フィッティング処理において格納されたフィッティングカーブ２２３のデータをカーブ番号とともに補聴器１００に送信する。
【００６２】
ステップＳ４２５において、制御部２１０は、フィッティング終了信号（通常モードに係る信号）を補聴器１００に送信して、通常モードへの移行を通知する。
ステップＳ４２６において、制御部２１０は、モード２２１を通常モードに更新して、通常モードに移行する。
【００６３】
≪片側のフィッティング詳細処理≫
図１０は、本実施形態に係る充電器での左右片側のフィッティング処理のフローチャート（１）である。図１１は、本実施形態に係る充電器での左右片側のフィッティング処理のフローチャート（２）である。図１０と図１１とを参照しながら、図９のステップＳ４０７，Ｓ４１２，Ｓ４１６，Ｓ４２１の詳細を説明する。なお、以下で補聴器１００は、左耳用の補聴器１００Ｌおよび右耳用の補聴器１００Ｒのいずれかである。例えば、ステップＳ４０７においては、左耳用の補聴器１００Ｌである。
【００６４】
ステップＳ４３１において、制御部２１０は、フィッティング処理を開始する旨の音声信号を補聴器１００に送信する。例えば、音源２２２にある「フィッティング処理を開始します。」という音声データを送信する。
ステップＳ４３２において、制御部２１０は、フィッティング処理対象の各周波数について、最低周波数からステップＳ４３３〜Ｓ４５３の処理を繰り返す。例えば、周波数を、１２５Ｈｚ、２５０Ｈｚ、５００Ｈｚ、１０００Ｈｚ、２０００Ｈｚ、４０００Ｈｚ、８０００Ｈｚと変えながら、ステップＳ４３３〜Ｓ４５３の処理を繰り返す。なお、以下では、フィッティング処理対象の周波数を対象周波数とも記す。
【００６５】
ステップＳ４３３において、制御部２１０は、所定の音量まで音量を上げながら、ステップＳ４３４〜Ｓ４４０を繰り返す。なお、以下では、この繰り返し処理のなかでの音量を対象音量とも記す。
ステップＳ４３４において、制御部２１０は、音が聞こえたらＯＫボタン２４３を押下するように指示する音声信号を補聴器１００に送信する。例えば、音源２２２にある「音が聞こえたらＯＫボタンを押してください。」という音声データを送信する。
ステップＳ４３５において、制御部２１０は、対象周波数の対象音量でのテスト音の信号を補聴器１００に送信する。
【００６６】
ステップＳ４３６において、制御部２１０は、ＤＥＣボタン２４５の押下を検出したならば（ステップＳ４３６→Ｙ）ステップＳ４３７に進み、検出しなかったならば（ステップＳ４３６→Ｎ）ステップＳ４３８に進む。
ステップＳ４３７において、制御部２１０は、ステップＳ４３２における対象周波数を１つ下げてステップＳ４３３に戻る。なお、対象周波数が、ステップＳ４３２における最低の周波数ならば、対象周波数を変えずにステップＳ４３３に戻る。
【００６７】
ステップＳ４３８において、制御部２１０は、ＩＮＣボタン２４４の押下を検出したならば（ステップＳ４３８→Ｙ）ステップＳ４３９に進み、検出しなかったならば（ステップＳ４３８→Ｎ）ステップＳ４４０に進む。
ステップＳ４３９において、制御部２１０は、ステップＳ４３２における対象周波数を１つ上げてステップＳ４３３に戻る。なお、対象周波数が、ステップＳ４３２における最高の周波数ならば、対象周波数を変えずにステップＳ４３３に戻る。
【００６８】
ステップＳ４４０において、制御部２１０は、ＯＫボタン２４３の押下を検出したならば（ステップＳ４４０→Ｙ）ステップＳ４４２に進み、検出しなかったならば（ステップＳ４４０→Ｎ）ステップＳ４４１に進む。
ステップＳ４４１において、制御部２１０は、所定の音量まで対象音量を上げたならばステップＳ４４２に進み、所定の音量に達していないならば対象音量を上げてステップＳ４３４に戻る。
ステップＳ４４２において、制御部２１０は、現在の音量の増幅度（ゲイン）を対象周波数の増幅度として記憶部２２０に記録する。
【００６９】
図１１に移り、ステップＳ４４３において、制御部２１０は、大音量調整を開始する旨の音声信号を補聴器１００に送信する。例えば、音源２２２にある「大音量の調整を開始します。」という音声データを送信する。
ステップＳ４４４において、制御部２１０は、所定の音量まで音量を上げながら、ステップＳ４４５〜Ｓ４５１を繰り返す。なお、以下では、この繰り返し処理のなかでの音量を対象音量とも記す。
【００７０】
ステップＳ４４５において、制御部２１０は、音がうるさいならばＯＫボタン２４３を押下するように指示する音声信号を補聴器１００に送信する。例えば、音源２２２にある「音がうるさく聞こえたらＯＫボタンを押してください。」という音声データを送信する。
ステップＳ４４６において、制御部２１０は、対象周波数の対象音量でのテスト音の信号を補聴器１００に送信する。
【００７１】
ステップＳ４４７において、制御部２１０は、ＤＥＣボタン２４５の押下を検出したならば（ステップＳ４４７→Ｙ）ステップＳ４４８に進み、検出しなかったならば（ステップＳ４４７→Ｎ）ステップＳ４４９に進む。
ステップＳ４４８において、制御部２１０は、ステップＳ４３２における対象周波数を１つ下げてステップＳ４４４に戻る。なお、対象周波数が、ステップＳ４３２における最低の周波数ならば、対象周波数を変えずにステップＳ４４４に戻る。
【００７２】
ステップＳ４４９において、制御部２１０は、ＩＮＣボタン２４４の押下を検出したならば（ステップＳ４４９→Ｙ）ステップＳ４５０に進み、検出しなかったならば（ステップＳ４４９→Ｎ）ステップＳ４５１に進む。
ステップＳ４５０において、制御部２１０は、ステップＳ４３２における対象周波数を１つ上げてステップＳ４４４に戻る。なお、対象周波数が、ステップＳ４３２における最高の周波数ならば、対象周波数を変えずにステップＳ４４４に戻る。
【００７３】
ステップＳ４５１において、制御部２１０は、ＯＫボタン２４３の押下を検出したならば（ステップＳ４５１→Ｙ）ステップＳ４５３に進み、検出しなかったならば（ステップＳ４５１→Ｎ）ステップＳ４５２に進む。
ステップＳ４５２において、制御部２１０は、所定の音量まで対象音量を上げたならばステップＳ４５３に進み、所定の音量に達していないならば対象音量を上げてステップＳ４４５に戻る。
【００７４】
ステップＳ４５３において、制御部２１０は、現在の音量を対象周波数の出力最大値として記憶部２２０に記録する。
ステップＳ４５４において、制御部２１０は、対象周波数がステップＳ４３２の最高周波数ならばステップＳ４５５に進み、最高周波数ではないならば、周波数を上げてステップＳ４３３に戻る。
【００７５】
ステップＳ４５５において、制御部２１０は、フィッティング処理を終了する旨の音声信号を補聴器１００に送信する。例えば、音源２２２にある「フィッティング処理を終了します。」という音声データを送信する。
ステップＳ４５６において、制御部２１０は、ステップＳ４３２の周波数ごとの増幅度と出力最大値をステップＳ４０３で選択したカーブ番号のフィッティングカーブ２２３として格納する。
【００７６】
≪補聴器フィッティング処理≫
図１２は、本実施形態に係る補聴器におけるフィッティング処理全体のフローチャートである。図１２を参照しながら、補聴器１００の制御部１１０が実行する補聴器フィッティング処理（図６のステップＳ２１３参照）の詳細を説明する。
【００７７】
ステップＳ５０１において、制御部１１０は、受信信号に応じてステップＳ５０２〜Ｓ５０７に分岐する。詳しくは、制御部１１０は、受信信号がノイズキャンセル開始信号ならば、ステップＳ５０２に進む。制御部１１０は、受信信号がノイズキャンセル終了信号ならば、ステップＳ５０３に進む。制御部１１０は、受信信号が音声信号ならば、ステップＳ５０４に進む。制御部１１０は、受信信号がフィッティングカーブのデータならば、ステップＳ５０５に進む。制御部１１０は、受信信号が周辺音量問合せの信号ならば、ステップＳ５０６に進む。制御部１１０は、受信信号がフィッティング終了信号ならば、ステップＳ５０７に進む。
【００７８】
ステップＳ５０２において、制御部１１０は、ノイズキャンセル処理を開始する。詳しくは、制御部１１０は、マイク１５１が集音した音の逆位相の音をスピーカ１５２から出力する。ステップＳ５０２は、図９のステップＳ４０６，Ｓ４１１，Ｓ４１５，Ｓ４２０に対応した補聴器１００の処理である。
ステップＳ５０３において、制御部１１０は、ノイズキャンセル処理を終了する。ステップＳ５０３は、図９のステップＳ４０８，Ｓ４１３，Ｓ４１７，Ｓ４２２に対応した補聴器１００の処理である。
【００７９】
ステップＳ５０４において、制御部１１０は、受信した音声信号をスピーカ１５２から出力する。
ステップＳ５０５において、制御部１１０は、受信したフィッティングカーブのデータを受信したカーブ番号のフィッティングカーブとしてフィッティングカーブ１２３に格納する。ステップＳ５０５は、図９のステップＳ４２４に対応した補聴器１００の処理である。
【００８０】
ステップＳ５０６において、制御部１１０は、マイク１５１の集音した音量を充電器２００に送信する。ステップＳ５０６は、図９のステップＳ４０１に対応した補聴器１００の処理である。
ステップＳ５０７において、制御部１１０は、モード１２１を通常モードに更新して、通常モードに移行する。ステップＳ５０７は、図９のステップＳ４２５に対応した補聴器１００の処理である。
【００８１】
≪フィッティング処理の特徴≫
補聴器１００が充電器２００から外されて、フィッティングボタン２４１が押下される（図５のステップＳ１０６→Ｆ参照）、前回のフィッティング処理から所定の時間経過した（ステップＳ１０５→Ｙ参照）、または、フィッティングモードであれば（ステップＳ１０４→Ｙ参照）フィッティング処理が開始される。フィッティング処理途中（ステップＳ１１３→Ｎ参照）で充電器に搭載された場合（ステップＳ１１５→Ｙ参照）には、フィッティングモードのままとなる。
【００８２】
フィッティング処理中には、利用者は、充電器２００のＯＫボタン２４３、ＩＮＣボタン２４４、ＤＥＣボタン２４５を操作して、音が聞こえたことの確認や調整対象の音の周波数を選択でき、補聴器１００の購入店に出向かずとも利用者自身がフィッティング処理を行うことができる。また、ＰＣなど特別な機器が不要であり、いつでも何処ででもフィッティングが可能となる。
【００８３】
また、フィッティング処理途中では、フィッティング対象の耳と反対側の耳の補聴器１００ではノイズキャンセル処理を行っている（図９のステップＳ４０６，Ｓ４１１，Ｓ４１５，Ｓ４２０および図１２のステップＳ５０２参照）。このため、静かな場所でなくてもフィッティングが可能となる。
【００８４】
カーブ選択後またはフィッティング完了後には、補聴器は無線通信を終了して通常動作を行う（図６のステップＳ２０７〜Ｓ２０８）。このため、無線通信が不要のときには、無線通信を行っておらず、電力消費を抑制することができ、補聴器の長時間連続利用が可能となる。また、補聴器の充電残量が少ない場合には、スピーカを通じて利用者に告知している（図６のステップＳ２０３）。
【００８５】
≪変形例：無線通信終了のタイミング≫
補聴器１００が外されて所定の時間内にボタン操作があれば、充電器２００は、無線通信を継続したままフィッティング処理やカーブ選択処理を実行する（図５のステップＳ１０６→ＦからステップＳ１１２、ステップＳ１０６→＋／−からステップＳ１０９参照）。また、充電器から外されて所定の時間内に信号を受信すれば、補聴器１００は、無線通信を継続したままフィッティング処理やカーブ選択処理を実行する（図６のステップＳ２０６→Ｙ、Ｓ２１１、Ｓ２１３参照）。これら無線通信を継続する条件は、所定の時間内での充電器２００のボタン操作や信号の受信でなくてもよい。例えば、補聴器１００が充電器２００から外されて、補聴器１００がボリューム１４１の操作を検知したならば、フィッティング処理やカーブ選択処理は実行されないものとして、補聴器１００は、無線通信を終了してもよい。また、ボリューム１４１の操作を検知して補聴器１００が所定の信号を充電器２００に送信し、充電器２００は、所定の信号を受信したら、無線通信を終了してもよい。このように、補聴器１００の操作を検知する（決められた条件を満たす）までに充電器２００から信号を受信しない場合は、補聴器１００は、無線通信を切断する。
【００８６】
≪変形例：補聴器でのフィッティング処理≫
上記したフィッティング処理では、充電器２００が周波数や音量を変更しながらフィッティング処理（図９〜図１１参照）を行っている。これに対して、フィッティング処理を補聴器１００が実行してもよい。詳しくは、補聴器フィッティング処理（図６のステップＳ２１３参照）において、補聴器１００Ｌ，１００Ｒのいずれか一方が図９〜図１１の処理を行う。または、左フィッティング処理（図９のステップＳ４０７，Ｓ４２１参照）は、補聴器１００Ｌが実行し、右フィッティング処理（図９のステップＳ４１２，Ｓ４１６参照）は、補聴器１００Ｒが実行して、その他は補聴器１００Ｌ，１００Ｒおよび充電器２００のいずれかが実行するようにしてもよい。
【００８７】
音声による利用者への指示は、補聴器１００の記憶部１２０に記憶される音源１２２を利用する。また、フィッティング処理の結果のフィッティングデータは、補聴器１００の記憶部１２０に格納されるとともに、充電器２００にも送信されて、充電器２００の記憶部２２０にも格納される。フィッティングデータとともにフィッティング終了信号も充電器２００に送信され、補聴器１００と充電器２００とは、通常モードに移行する。
【００８８】
充電器フィッティング処理（図５のステップＳ１１２）は、充電器２００の左右選択スイッチ２４２、ＯＫボタン２４３、ＩＮＣボタン２４４、および、ＤＥＣボタン２４５に対する操作を、充電器２００が無線通信を通じて補聴器１００に通知する処理である。
【００８９】
≪変形例：フィッティングカーブの格納場所≫
上記した実施形態において、フィッティングカーブは補聴器１００にも充電器２００にも記憶されている。補聴器１００は、通常モードで使用するフィッティングカーブだけを記憶するようにしてもよい。これにより、補聴器１００のメモリ（記憶部１２０）容量を削減することができる。充電器２００は、充電器カーブ選択処理（図５のステップＳ１０９、図７参照）において、選択されたフィッティングカーブのデータを補聴器１００に送信し、補聴器１００は、受信したフィッティングカーブのデータを記憶部１２０に格納して、通常モードで参照する。
【００９０】
≪変形例：充電残量計測≫
上記した実施形態では、充電器２００は、補聴器１００に送電するときの電流と電圧を観測して、電流と電圧の時間的変化量から補聴器１００の充電量（充電残量）を推計している。補聴器１００が充電量を推計して、充電器２００に通知し、充電器２００が、充電量メータ２０３Ｌ，２０３Ｒに充電量を表示するようにしてもよい。通知の方法としては、無線通信を用いてもよいし、補聴器１００と充電器２００に接点がある場合には、この接点を通じて通知してもよい。
【００９１】
≪変形例：補聴器以外のイヤホン≫
上記した実施形態では、充電器を操作して（充電器をリモコンとして用いて）、補聴器のフィッティングとフィッティングカーブ選択の２種類の設定を行っている。補聴器以外のイヤホンの設定に充電器を用いてもよい。例えば、オーディオイヤホンにおいて、利用者の好みや音楽のジャンルに応じた周波数特性に補正する処理（音響処理）のパラメータ設定に充電器を用いてもよい。
【００９２】
≪その他の変形例≫
上記した実施形態では、補聴器１００は右と左とのペアであったが、一方だけであってもよい。
【００９３】
以下に、この出願の願書に最初に添付した特許請求の範囲に記載した発明を付記する。付記に記載した請求項の項番は、この出願の願書に最初に添付した特許請求の範囲のとおりである。
【００９４】
≪付記≫
《請求項１》
スピーカを備え耳に装着可能なイヤホンと、操作部を備え前記イヤホンに充電する充電器とから構成されるイヤホンシステムであって、
前記イヤホンと前記充電器との間で通信を行いながら前記充電器の操作部の操作に応じて前記イヤホンを制御する連携モードと、前記イヤホンが単独で動作する通常モードとを備え、
前記充電器は、
前記イヤホンが前記充電器から外された場合、前記イヤホンとの間の通信接続を確立し、決められた条件を満たすまでの間に前記操作部に対する操作を検知した場合には、前記連携モードに係る信号を前記イヤホンに送信し、前記イヤホンとの間の通信接続を継続させる充電器制御部を備え、
前記イヤホンは、
前記イヤホンが前記充電器から外された場合、前記充電器との間の通信接続を確立し、決められた条件を満たすまでの間に前記連携モードに係る信号を受信しなかった場合には、前記充電器との間の通信接続を切断し、決められた条件を満たすまでの間に前記連携モードに係る信号を受信した場合には、前記充電器との間の通信接続を継続させるイヤホン制御部を備える
ことを特徴とするイヤホンシステム。
《請求項２》
前記充電器制御部は、
前記イヤホンが前記充電器から外された場合、前記イヤホンとの間の通信接続を確立し、所定の時間内に前記操作部に対する操作を検知しなかった場合には、前記イヤホンとの間の通信接続を切断するとともに前記通常モードに移行し、前記所定の時間内に前記操作部に対する操作を検知した場合には、前記連携モードに係る信号を前記イヤホンに送信し、前記イヤホンとの間の通信接続を継続させるとともに前記連携モードに移行し、
前記イヤホン制御部は、
前記イヤホンが前記充電器から外された場合、前記充電器との間の通信接続を確立し、前記所定の時間内に前記連携モードに係る信号を受信しなかった場合には、前記充電器との間の通信接続を切断するとともに前記通常モードに移行し、前記所定の時間内に前記連携モードに係る信号を受信した場合には、前記充電器との間の通信接続を継続させるとともに前記連携モードに移行する
ことを特徴とする請求項１に記載のイヤホンシステム。
《請求項３》
前記充電器制御部は、前記操作が前記スピーカの出力音に対する音響処理のフィッティング処理を指示するフィッティングボタンの操作である場合、前記連携モードに移行して、前記フィッティング処理を実行する
ことを特徴とする請求項２に記載のイヤホンシステム。
《請求項４》
前記充電器制御部は、前記イヤホンの初回使用時、または、前回のフィッティング処理から所定の日時が経過した状態にあって、前記イヤホンが前記充電器から外された場合、前記連携モードに係る信号を前記イヤホンに送信し、前記イヤホンとの間の通信接続を継続するとともに前記連携モードに移行して、前記フィッティング処理を実行する
ことを特徴とする請求項３に記載のイヤホンシステム。
《請求項５》
前記充電器制御部は、前記連携モードにおいて前記イヤホンが前記充電器から外された場合、前記イヤホンとの間の通信接続を継続させるとともに、前記フィッティング処理を実行し、
前記イヤホン制御部は、前記連携モードにおいて前記イヤホンが前記充電器から外された場合、前記充電器との間の通信接続を継続させる
ことを特徴とする請求項３または４に記載のイヤホンシステム。
《請求項６》
前記充電器制御部は、前記フィッティング処理が終了したときには、前記通常モードに移行するとともに前記イヤホンに前記通常モードに係る信号を送信して、前記イヤホンとの間の通信接続を切断し、
前記イヤホン制御部は、前記通常モードに係る信号を受信したときには、前記通常モードに移行するとともに、前記充電器との間の通信接続を切断する
ことを特徴とする請求項３〜５のいずれか１項に記載のイヤホンシステム。
《請求項７》
前記操作部は、左右選択スイッチをさらに備え、
前記イヤホンは、左側イヤホンと右側イヤホンとから構成され、
前記左側イヤホンおよび前記右側イヤホンは、それぞれ前記イヤホン制御部を備え、
前記充電器制御部は、前記左右選択スイッチの選択状態に応じて、前記左側イヤホンまたは前記右側イヤホンに対する前記フィッティング処理を実行する
ことを特徴とする請求項３〜６のいずれか１項に記載のイヤホンシステム。
《請求項８》
前記左側イヤホンおよび前記右側イヤホンは、それぞれマイクをさらに備え、
前記充電器制御部は、前記左右選択スイッチで選択されていない前記左側イヤホンまたは前記右側イヤホンにノイズキャンセル開始信号を送信し、
前記左側イヤホンおよび前記右側イヤホンのぞれぞれのイヤホン制御部は、前記ノイズキャンセル開始信号を受信すると、前記マイクで集音した音と逆位相の音を前記スピーカから出力するノイズキャンセル処理を実行する
ことを特徴とする請求項７に記載のイヤホンシステム。
《請求項９》
前記イヤホンは、マイクをさらに備え、
前記イヤホン制御部は、前記充電器からの周辺音量の問合せがあると、前記マイクで集音した音の音量を通知し、
前記充電器制御部は、前記イヤホンに前記周辺音量を問合せ、前記周辺音量が所定の閾値を超える場合には、前記フィッティング処理を中止する
ことを特徴とする請求項３〜８のいずれか１項に記載のイヤホンシステム。
《請求項１０》
前記充電器制御部は、前記操作が前記スピーカの出力音に対する音響処理のフィッティング処理を指示するフィッティングボタンの操作である場合、前記連携モードに移行し、
前記イヤホン制御部は、前記連携モードに係る信号を受信した場合、前記連携モードに移行して、前記フィッティング処理を実行する
ことを特徴とする請求項２に記載のイヤホンシステム。
《請求項１１》
スピーカを備え耳に装着可能なイヤホンであって、
前記イヤホンを充電する充電器との間で通信を行いながら前記充電器の操作部の操作に応じて前記イヤホンを制御する連携モードと、前記イヤホンが単独で動作する通常モードとを備え、
前記イヤホンが前記充電器から外された場合、前記充電器との間の通信接続を確立し、決められた条件を満たすまでの間に前記連携モードに係る信号を受信しなかった場合には、前記充電器との間の通信接続を切断し、決められた条件を満たすまでの間に前記連携モードに係る信号を受信した場合には、前記充電器との間の通信接続を継続させる
ことを特徴とするイヤホン。
《請求項１２》
前記イヤホンは、充電残量が所定の閾値より低い場合には、前記スピーカから前記充電残量の低下を告知する
ことを特徴とする請求項１１に記載のイヤホン。
《請求項１３》
スピーカを備え耳に装着可能なイヤホンを充電する充電器であって、
操作部を備え、
前記イヤホンとの間で通信を行いながら前記充電器の操作部の操作に応じて前記イヤホンを制御する連携モードと、前記イヤホンを単独で動作させる通常モードとを備え、
前記イヤホンが前記充電器から外された場合、前記イヤホンとの間の通信接続を確立し、決められた条件を満たすまでの間に前記操作部に対する操作を検知した場合には、前記連携モードに係る信号を前記イヤホンに送信し、前記イヤホンとの間の通信接続を継続させる
ことを特徴とする充電器。
《請求項１４》
前記イヤホンの充電残量が表示可能な表示部を備え、
前記表示部に前記充電残量を表示する
ことを特徴とする請求項１３に記載の充電器。
【符号の説明】
【００９５】
１００  補聴器（イヤホン）
１００Ｌ  補聴器（左側イヤホン）
１００Ｒ  補聴器（右側イヤホン）
１１０  制御部（イヤホン制御部）
１５１  マイク
１５２  スピーカ
２００  充電器
２０３Ｌ，２０３Ｒ  充電量メータ
２１０  制御部（充電器制御部）
２４０  操作部
２４１  フィッティングボタン
２４２  左右選択スイッチ
２４３  ＯＫボタン
２４４  ＩＮＣボタン
２４５  ＤＥＣボタン
【図１】
2019220882.tif 000003
【図２】
2019220882.tif 000004
【図３】
2019220882.tif 000005
【図４】
2019220882.tif 000006
【図５】
2019220882.tif 000007
【図６】
2019220882.tif 000008
【図７】
2019220882.tif 000009
【図８】
2019220882.tif 000010
【図９】
2019220882.tif 000011
【図１０】
2019220882.tif 000012
【図１１】
2019220882.tif 000013
【図１２】
2019220882.tif 000014